(57)【要約】 【課題】  本発明は、雌雄のハウジングに装着される電線カバーを共用可能な防水コネクタを提供する。【解決手段】  雌雄のハウジング１０，１１と、それぞれのハウジングに取付けられる電線カバー１２とを備えてなる防水コネクタであって、両ハウジング１０，１１はそれぞれのハウジングの嵌合方向に型開きする金型によって成形されるようになっている。雌雄のハウジング１０，１１には、電線カバー１２を取付けるためのロック部３２、４５が形成されており、ロック部３２，４５は、このロック部３２，４５の成形が許容された雌雄のロック部形成許容領域Ｆ，Ｍ内に形成されている。一方、電線カバー１２には雌雄のロック部３２，４５に対応して、雌雄のロック受け部３３，４６が形成されている。ロック部３２，４５と、電線カバー１２のロック受け部３３，４６とを係合させることで、雌雄のハウジング１０，１１に対して電線カバー１２を共用化できる。【選択図】  図１４
2007053056.tif 000002
【特許請求の範囲】
【請求項１】
互いに嵌合可能な雌雄のハウジングは、共に前記両ハウジングの嵌合方向に沿って型開きする金型により成形されるようになっており、
雌ハウジングには、電線の端末に配設された雌端子金具が収容される内筒部と、前記内筒部を包囲する外筒部とが設けられており、前記内筒部は前記外筒部の後端よりも後方に延出されており、
雄ハウジングには、電線の端末に配設された雄端子金具が収容される端子収容部と、前記端子収容部の前部に連なって前記嵌合方向前方に開口するフード部とが設けられており、
前記内筒部と前記外筒部との間に形成された嵌合空間内に前記フード部が嵌入することで、前記フード部の内周面と前記内筒部の外周面との間で両ハウジング間のシールがなされるようになっている防水コネクタであって、
前記両ハウジングには、それぞれの電線引出し面に電線カバーが取付けられており、前記電線カバーには、前記電線引出し面から導出された前記電線を覆う本体部と、前記両ハウジングに対して装着される装着部とが設けられており、
前記雌ハウジングにおいては、前記外筒部の後端よりも後方であって、前記内筒部の外周面よりも径方向外方の領域は、前記電線カバーを前記雌ハウジングに取付けるための雌側ロック部の形成が許容される雌側ロック部形成許容領域とされており、
前記雄ハウジングにおいては、前記フード部の後端よりも後方であって、前記フード部の外周面の径方向の高さ位置よりも径方向外方の領域は、前記電線カバーを前記雄ハウジングに取付けるための雄側ロック部の形成が許容される雄側ロック部形成許容領域とされており、
前記電線カバーは前記両ハウジングに対して共通形態のものが取付けられるようになっており、前記装着部には、前記雌側ロック部形成許容領域に設けられた前記雌側ロック部と係合する雌側ロック受け部が設けられていると共に、前記雄側ロック部形成許容領域に設けられた雄側ロック部と係合する雄側ロック受け部が設けられていることを特徴とする防水コネクタ。
【請求項２】
前記雌側ロック部は、前記雌側ロック部形成許容領域のうち前記外筒部の内周面の径方向の高さ位置よりも径方向内方の雌側インナー領域に形成されており、
前記雄側ロック部は、前記雌雄両ハウジングが嵌合した状態で、前記雄側ロック部形成許容領域のうち前記外筒部の外周面の径方向の高さ位置よりも径方向内方の雄側インナー領域に形成されており、
かつ、前記各ハウジングのインナー領域において、前記雌側ロック部は、前記雄側ロック部よりも径方向内方にずれた位置に配されており、
一方、これに対応して、前記雌側ロック受け部も、前記雄側ロック受け部よりも径方向内方にずれた状態で前記装着部に形成されていることを特徴とする請求項１記載の防水コネクタ。
【請求項３】
前記雌側ロック部は前記内筒部の外周面から径方向外方に突設されており、
前記雄側ロック部は前記端子収容部の外周面から径方向外方に突設されており、
かつ、前記各ハウジングのインナー領域内において、前記雌側ロック部は、前記雄側ロック部よりも径方向内方にずれた位置に配されており、
一方、前記雌雄のロック受け部は前記装着部の内周面から径方向内方へ突設されており、
前記雄側ロック受け部は前記装着部の前端寄りの位置に形成されており、前記雄側ロック受け部の後方には、前記雌側ロック受け部が、前記雄側ロック受け部よりも径方向内方にずれた状態で前後方向に並んで形成されていることを特徴とする請求項２記載の防水コネクタ。
【請求項４】
前記外筒部を後方へ延長すると共に、その外周面を前記外筒部の外周面と略同一面をなすようにして雌側カバー取付け壁を形成し、前記雌側ロック部は前記雌側カバー取付け壁の内周面から径方向内方に突設されており、
前記雄側インナー領域内には雄側カバー取付け壁を形成し、前記雄側ロック部は前記雄側カバー取付け壁の内周面から径方向内方に突設されており、
かつ、前記各ハウジングのインナー領域内において、前記雌側ロック部は、前記雄側ロック部よりも径方向内方へずれた位置に配されており、
一方、前記雌雄のロック受け部は前記装着部の外周面から外方へ突設されており、
前記雌側ロック受け部は前記装着部の前端寄りの位置に形成されており、前記雌側ロック受け部の後方には、前記雄側ロック受け部が、前記雌側ロック受け部よりも径方向外方にずれた状態で前後方向に並んで形成されていることを特徴とする請求項２記載の防水コネクタ。
【請求項５】
前記雌側ロック部は前記内筒部の外周面から径方向外方に突設されており、
前記雄側インナー領域内には雄側カバー取付け壁を形成し、前記雄側ロック部は前記雄側カバー取付け壁の内周面から径方向内方に突設されており、
かつ、前記各ハウジングのインナー領域内において、前記雌側ロック部は、前記雄側ロック部よりも径方向内方へずれた位置に配されており、
一方、前記装着部の内側には前記雌側ロック受け部が形成されていると共に、前記装着部の外側には前記雄側ロック受け部が形成されており、前記雌雄のロック受け部は、径方向に並ぶ配置で形成されていることを特徴とする請求項２記載の防水コネクタ。
【発明の詳細な説明】
【技術分野】
【０００１】
本発明は、ハウジングの嵌合方向に沿って型開きする金型により成形される雌雄のハウジングを備えた防水コネクタに関する。
【背景技術】
【０００２】
従来より、防水コネクタとしては、特許文献１に記載のものが知られている。このものは、互いに嵌合可能な雌雄のハウジングを備えてなり、雌ハウジングには、電線の端末に配設された雌端子金具が収容される内筒部と、この内筒部を包囲する外筒部とが設けられており、一方、雄ハウジングには、電線の端末に配設された雄端子金具が収容される端子収容部と、この端子収容部の前部に連なって両ハウジングの嵌合方向前方に開口するフード部とが設けられている。このフード部が内筒部と外筒部との間に形成された嵌合空間内に嵌入することで、フード部の内周面と内筒部の外周面との間で両ハウジング間のシールがなされるようになっている。
【０００３】
上記のような防水コネクタにおいては、見栄え向上、高圧洗浄対策等を目的として、ハウジングの電線引出し面を覆う電線カバーが取付けられる場合がある。この場合、ハウジングに形成されたロック部と、電線カバーに形成されたロック受け部とが係合することで、電線カバーがハウジングに装着されるようになっている。
【特許文献１】特開昭６３−２５７１８７号公報
【発明の開示】
【発明が解決しようとする課題】
【０００４】
上記の構成において、雌雄のハウジングに対してそれぞれ電線カバーが取付けられる場合がある。この場合に、電線カバーを雌雄のハウジングに対して共通化することが考えられる。これにより電線カバーの製造コストの削減を図ることが期待される。
【０００５】
上記のように電線カバーの共通化を図るためには、雌雄のハウジングの共通位置に、電線カバーを取付けるためのロック部を形成することが考えられる。
【０００６】
しかしながら、通常、ハウジングは、ハウジングの嵌合方向へ型開きする金型により成形されている。この場合、ハウジングに形成された構造（例えばフード部や外筒部など）の嵌合方向後方の領域にはロック部を形成することができないため、両ハウジングにおいてロック部を形成可能な領域について制約が生じることになる。
【０００７】
そこで、ハウジングの嵌合方向への型開きに加えて、嵌合方向と交差する方向へスライドする金型を用いてハウジングを成形することが考えられる。これにより、例えばフード部の嵌合方向後方にロック部を形成可能となるなど、両ハウジングにおいてロック部を形成可能な領域に対する制約が小さくなる結果、両ハウジングの共通位置にロック部を容易に形成できることが期待された。
【０００８】
しかしながら上記の方法は金型の製造コストが高くなるため現実的でない。
【０００９】
このため、従来は、雄ハウジングには雄側専用の電線カバーを取付け、雌ハウジングには雌側専用の電線カバーを取付けることとしていた。このように、ハウジングの嵌合方向に型開きする金型によりハウジングを成形する場合には、ハウジングに取付ける電線カバーを共通化するという課題を達成することは実現できなかった。
【００１０】
本発明は上記のような事情に基づいて完成されたものであって、雌雄のハウジングが、両ハウジングの嵌合方向に型開きする金型により成形される場合において、両ハウジングに装着される電線カバーを共用可能な防水コネクタを提供することを目的とする。
【課題を解決するための手段】
【００１１】
上記の目的を達成するための手段として、請求項１の発明は、互いに嵌合可能な雌雄のハウジングは、共に前記両ハウジングの嵌合方向に沿って型開きする金型により成形されるようになっており、雌ハウジングには、電線の端末に配設された雌端子金具が収容される内筒部と、前記内筒部を包囲する外筒部とが設けられており、前記内筒部は前記外筒部の後端よりも後方に延出されており、雄ハウジングには、電線の端末に配設された雄端子金具が収容される端子収容部と、前記端子収容部の前部に連なって前記嵌合方向前方に開口するフード部とが設けられており、前記内筒部と前記外筒部との間に形成された嵌合空間内に前記フード部が嵌入することで、前記フード部の内周面と前記内筒部の外周面との間で両ハウジング間のシールがなされるようになっている防水コネクタであって、前記両ハウジングには、それぞれの電線引出し面に電線カバーが取付けられており、前記電線カバーには、前記電線引出し面から導出された前記電線を覆う本体部と、前記両ハウジングに対して装着される装着部とが設けられており、前記雌ハウジングにおいては、前記外筒部の後端よりも後方であって、前記内筒部の外周面よりも径方向外方の領域は、前記電線カバーを前記雌ハウジングに取付けるための雌側ロック部の形成が許容される雌側ロック部形成許容領域とされており、前記雄ハウジングにおいては、前記フード部の後端よりも後方であって、前記フード部の外周面の径方向の高さ位置よりも径方向外方の領域は、前記電線カバーを前記雄ハウジングに取付けるための雄側ロック部の形成が許容される雄側ロック部形成許容領域とされており、前記電線カバーは前記両ハウジングに対して共通形態のものが取付けられるようになっており、前記装着部には、前記雌側ロック部形成許容領域に設けられた前記雌側ロック部と係合する雌側ロック受け部が設けられていると共に、前記雄側ロック部形成許容領域に設けられた雄側ロック部と係合する雄側ロック受け部が設けられていることを特徴とする。
【００１２】
請求項２の発明は、請求項１記載のものにおいて、前記雌側ロック部は、前記雌側ロック部形成許容領域のうち前記外筒部の内周面の径方向の高さ位置よりも径方向内方の雌側インナー領域に形成されており、前記雄側ロック部は、前記雌雄両ハウジングが嵌合した状態で、前記雄側ロック部形成許容領域のうち前記外筒部の外周面の径方向の高さ位置よりも径方向内方の雄側インナー領域に形成されており、かつ、前記各ハウジングのインナー領域において、前記雌側ロック部は、前記雄側ロック部よりも径方向内方にずれた位置に配されており、一方、これに対応して、前記雌側ロック受け部も、前記雄側ロック受け部よりも径方向内方にずれた状態で前記装着部に形成されていることを特徴とする。
【００１３】
請求項３の発明は、請求項２記載のものにおいて、前記雌側ロック部は前記内筒部の外周面から径方向外方に突設されており、前記雄側ロック部は前記端子収容部の外周面から径方向外方に突設されており、かつ、前記各ハウジングのインナー領域内において、前記雌側ロック部は、前記雄側ロック部よりも径方向内方にずれた位置に配されており、一方、前記雌雄のロック受け部は前記装着部の内周面から径方向内方へ突設されており、前記雄側ロック受け部は前記装着部の前端寄りの位置に形成されており、前記雄側ロック受け部の後方には、前記雌側ロック受け部が、前記雄側ロック受け部よりも径方向内方にずれた状態で前後方向に並んで形成されていることを特徴とする。
【００１４】
請求項４の発明は、請求項２記載のものにおいて、前記外筒部を後方へ延長すると共に、その外周面を前記外筒部の外周面と同一面をなすようにして雌側カバー取付け壁を形成し、前記雌側ロック部は前記雌側カバー取付け壁の内周面から径方向内方に突設されており、前記雄側インナー領域内には雄側カバー取付け壁を形成し、前記雄側ロック部は前記雄側カバー取付け壁の内周面から径方向内方に突設されており、かつ、前記各ハウジングのインナー領域内において、前記雌側ロック部は、前記雄側ロック部よりも径方向内方へずれた位置に配されており、一方、前記雌雄のロック受け部は前記装着部の外周面から外方へ突設されており、前記雌側ロック受け部は前記装着部の前端寄りの位置に形成されており、前記雌側ロック受け部の後方には、前記雄側ロック受け部が、前記雌側ロック受け部よりも径方向外方にずれた状態で前後方向に並んで形成されていることを特徴とする。
【００１５】
請求項５の発明は、請求項２記載のものにおいて、前記雌側ロック部は前記内筒部の外周面から径方向外方に突設されており、前記雄側インナー領域内には雄側カバー取付け壁を形成し、前記雄側ロック部は前記雄側カバー取付け壁の内周面から径方向内方に突設されており、かつ、前記各ハウジングのインナー領域内において、前記雌側ロック部は、前記雄側ロック部よりも径方向内方へずれた位置に配されており、一方、前記装着部の内側には前記雌側ロック受け部が形成されていると共に、前記装着部の外側には前記雄側ロック受け部が形成されており、前記雌雄のロック受け部は、径方向に並ぶ配置で形成されていることを特徴とする。
【発明の効果】
【００１６】
＜請求項１の発明＞
請求項１の発明によれば、雌ハウジングに電線カバーを取付けるためには、雌ハウジングの雌側ロック部と、電線カバーの雌側ロック受け部とを係合させればよい。また、雄ハウジングに電線カバーを取付けるためには、雄ハウジングの雄側ロック部と、電線カバーの雄側ロック受け部とを係合させればよい。このように、共通形態をなす電線カバーを雌雄のハウジング間で共用できるから、電線カバーの製造コストを削減できる。
【００１７】
＜請求項２の発明＞
請求項２の発明によれば、雌側ロック部は雌側インナー領域内に形成されているから、雌側ロック受け部が形成される装着部は、外筒部の外周面の径方向の高さ位置よりも径方向内方に配することができる。また、雄側ロック部は雄側インナー領域内に形成されているから、雄側ロック受け部が形成される装着部は、外筒部の外周面の径方向の高さ位置よりも径方向内方に配することができる。このように、雌雄いずれのハウジングに対しても、装着部は、外筒部の外周面の径方向の高さ位置よりも径方向内方に配されるようになっているから、防水コネクタが径方向へ拡大化するのを防止できる。
【００１８】
＜請求項３及び請求項４の発明＞
請求項３の発明によれば、雄ハウジングの端子収容部及び雌ハウジングの内筒部という既存の構造に、それぞれ雌雄のロック部を形成できる。一方、請求項４の発明によれば、雌雄それぞれのハウジングに新たに雌側カバー取付け壁及び雄側カバー取付け壁を設け、前述の雌雄のカバー取付け壁に、それぞれ雌雄のロック部を形成できる。このようにいずれの方法によった場合でも、雌雄のロック受け部を径方向にずれた状態で前後方向に並べて配することによって、雌雄のインナー領域内にそれぞれ、雌雄のロック部を形成することが可能となり、防水コネクタが径方向へ拡大化するのを防止できる。
【００１９】
＜請求項５の発明＞
請求項５の発明によれば、雄側ロック受け部と雌側ロック受け部とは、装着部の内外において径方向に並んだ配置となっているから、雌雄のロック受け部が前後方向に並んで形成された場合に比べて、電線カバーの前後方向の寸法を小型化できる。
【発明を実施するための最良の形態】
【００２０】
＜実施形態１＞
本発明の実施形態１を図１ないし図１４を参照しつつ説明する。図１に示すように本実施形態に係る防水コネクタは、互いに嵌合可能な雄ハウジング１０及び雌ハウジング１１と、両ハウジング１０，１１に取付けられる電線カバー１２とを備えてなる。なお、以下の説明においては、両ハウジング１０，１１の嵌合方向を前方とする。
【００２１】
図２に示すように雄ハウジング１０は合成樹脂製であって、雄端子金具１３を収容する端子収容部１４と、この端子収容部１４の前部に設けられるフード部１５とを備えてなる。この雄ハウジング１０は、前後方向（雄ハウジング１０の嵌合方向）に沿って型開きする金型（図示せず）により成形されるようになっている。
【００２２】
フード部１５は、端子収容部１４のうち前後方向の略中央よりやや前部寄りの位置から外方に立設された連結壁１６の上端から前方に向かって延設されてなると共に、略角筒状をなして前方に開口している。このフード部１５の上壁の前端寄りの位置には、幅方向の略中央付近に、上方に突出するロック突部１７が形成されており、後述するロックアーム１８の係止孔１９と係合するようになっている。ロック突部１７の前端面はロックアーム１８が乗り上がる動作が容易となるように前方に向かって下がり傾斜となる斜面が形成されており、一方、ロック突部１７の後端面は、係止孔１９との係合を確実にするために切り立って形成されている。
【００２３】
端子収容部１４には前後方向に貫通するキャビティ２０が形成されており、このキャビティ２０内には、電線２１の端末に配設された雄端子金具１３が収容される。雄端子金具１３は、電線２１に圧着されるバレル部２２と、このバレル部２２の前方に連なる筒部２３とを備えてなり、筒部２３の前端には前方に突出するタブ２４が形成されている。雄端子金具１３は、キャビティ２０の内壁から突設されたランス２５が筒部２３と係止することでキャビティ２０内に抜け止め状態に保持される。端子収容部１４の前端には、リテーナ２６が前方から被着されており、これにより雄端子金具１３は二重係止される。筒部２３に形成されたタブ２４は、端子収容部１４及びリテーナ２６の前壁を貫通してフード部１５内に突出している。電線２１には、バレル部２２の後方に防水ゴム栓２７が嵌着されており、この防水ゴム栓２７の外周に形成されたリップ部２８と、キャビティ２０の内周面とが密着することで電線２１と雄ハウジング１０とのシールがなされるようになっている。端子収容部１４の後端面からは電線２１が後方に引き出されており、電線引出し面２９とされる。
【００２４】
図３及び図４に示すように、フード部１５の後部には、後方に延出されると共に、電線カバー１２を雄ハウジング１０に取付けるための雄側カバー取付け壁３０が形成されている。この雄側カバー取付け壁３０と、端子収容部１４のうちフード部１５の後端より後方に延出された部分との間の領域内に、後述する電線カバー１２の装着部３１が挿入可能になっている。雄側カバー取付け壁３０の後端面と、端子収容部１４の後端面とは、略同一面上に揃うように配されている。雄側カバー取付け壁３０の外周面は、雌雄の両ハウジング１０，１１が正規嵌合した状態において、後述する雌ハウジング１１の外筒部３７の外周面と略同一面か、または、径方向内方に位置するように配されており、これにより雄側カバー取付け壁３０は、後述する雄側インナー領域Ｐ内に形成されるようになっている。図３及び図４に示すように、雄側カバー取付け壁３０の内周面のうち、幅方向の左右両外端であって、かつ、後端寄りの位置には、径方向内方に突出する一対の雄側ロック部３２が形成されている。この雄側ロック部３２も、雄側インナー領域Ｐ内に位置するように形成されている。雄側ロック部３２の後端部には、後方に向かって径方向外方に傾斜すると共に、雄側ロック部３２が後述する電線カバー１２の雄側ロック受け部３３に乗り上がる動作を容易にするためのガイド面３４が形成されている。
【００２５】
一方、図６に示すように雌ハウジング１１は合成樹脂製であって、雌端子金具３５が収容される内筒部３６と、この内筒部３６の前部を外側から包囲する外筒部３７とを備えてなる。内筒部３６と外筒部３７とは、内筒部３６の外周壁から外方に立設された連結壁１６により連結されている。内筒部３６と外筒部３７との間に形成された空間のうち連結壁１６よりも前方の空間は、雄ハウジング１０のフード部１５が嵌合可能な嵌合空間３８とされる。この雌ハウジング１１は、前後方向（雌ハウジング１１の嵌合方向）に型開きする金型（図示せず）により成形されるようになっている。
【００２６】
内筒部３６は略角筒状をなしており、その内部には前後方向に貫通するキャビティ２０が形成されており、このキャビティ２０内には、電線２１の端末に配設された雌端子金具３５が収容される。雌端子金具３５は、電線２１に圧着されるバレル部２２と、このバレル部２２の前方に連なると共に雄端子金具１３のタブ２４と接続可能な接続部３９とを備えてなる。接続部３９は角筒状をなしており、詳細には図示しないが、接続部３９の内部に形成された弾性接触片とタブ２４とが弾性的に接触することで雄端子金具１３と雌端子金具３５との電気的接続が図られるようになっている。雌端子金具３５は、キャビティ２０の内壁から突設されたランス２５が接続部３９と係止することでキャビティ２０内に抜け止め状態に保持される。内筒部３６の前端にはリテーナ２６が前方から被着されており、これにより雌端子金具３５は二重係止される。電線２１には、バレル部２２の後方に防水ゴム栓２７が嵌着されており、この防水ゴム栓２７の外周に形成されたリップ部２８と、キャビティ２０の内周面とが密着することで電線２１と雌ハウジング１１とのシールがなされるようになっている。嵌合空間３８内に位置する内筒部３６の外周面には、ゴム製のシールリング４０が嵌着されており、このシールリング４０の外周面に形成されたリップ４１が、嵌合空間３８内に嵌合したフード部１５の内周面と密着することで、雌ハウジング１１と雄ハウジング１０とのシールがなされるようになっている。このように本実施形態においては、フード部１５の内周面と、内筒部３６の外周面とが両ハウジング１０，１１間のシール面とされる。内筒部３６の後端面からは電線２１が後方に引き出されており、電線引出し面２９とされる。
【００２７】
外筒部３７の上壁には、上壁の後端縁から前方に向かって略矩形状に切り欠かれた開口部４２が形成されており、この開口部４２内には、内筒部３６の上壁から上方に立設された支持壁４３の上端に形成されると共に、シーソー状をなして上下方向に揺動可能なロックアーム１８が収容されるようになっている。ロックアーム１８の前端寄りの位置には、両ハウジング１０，１１が正規嵌合したときに、フード部１５に形成されたロック突部１７が係合して、両ハウジング１０，１１を正規嵌合状態にロックする係止孔１９が形成されている。
【００２８】
図７及び図８に示すように、連結壁１６の後端には、後方に延出されると共に、電線カバー１２を雄ハウジング１０に取付けるための雌側カバー取付け壁４４が形成されている。この雌側カバー取付け壁４４と、内筒部３６のうち外筒部３７の後端よりも後方に延出された部分との間の領域内に、後述する電線カバー１２の装着部３１が挿入可能になっている。雌側カバー取付け壁４４の後端面と、内筒部３６に後端面とは、略同一面上に揃うように形成されている。雌側カバー取付け壁４４の外周面は、外筒部３７の外周面と略同一か、又は径方向内方に位置するようになっている。図７及び図８に示すように、内筒部３６の外周面のうち、幅方向の左右両外端であって、かつ、後端寄りの位置には、径方向外方に突出する一対の雌側ロック部４５が形成されている。この雌側ロック部４５は、後述する雌側インナー領域Ｒ内に位置するように形成されている。雌側ロック部４５の後端部には、後方に向かって径方向内方に傾斜すると共に、後述する電線カバー１２の雌側ロック受け部４６が雌側ロック部４５に乗り上げる動作を容易にするためのガイド面３４が形成されている。外筒部３７の内周面のうち、雌側ロック部４５と対向する領域には、前後方向に延びると共に径方向外方に引っ込んで形成された雄側ロック受け部逃がし溝４７が形成されており、電線カバー１２が雌ハウジング１１に取付けられたときに雌側カバー取付け壁４４と雄側ロック受け部３３とが干渉することを防止するようになっている。また、連結壁１６のうち、雌側ロック部４５の前方に位置する部分には、雌側ロック部４５を成形する際に金型を型抜きするための型抜き孔４８が形成されている。
【００２９】
雌雄それぞれのハウジング１０，１１の電線引出し面２９には、電線カバー１２が取付けられている。図１に示すように、電線カバー１２は合成樹脂製であって、電線引出し面２９から導出された電線２１を覆う本体部４９と、雌雄それぞれのハウジング１０，１１に装着される装着部３１とを備えてなる。電線カバー１２は、雌ハウジング１１に対しては、装着部３１が図１における下側になるように取付けられ、一方、雄ハウジング１０に対しては、装着部３１が図１における上側になるように取付けられるようになっている。
【００３０】
図１０及び図１１に示すように、本体部４９は互いに半割りにされた第１及び第２の本体部４９Ａ，４９Ｂによって構成されている。両本体部４９Ａ，４９Ｂは上方を開放した容器状をなしており、側壁に形成されたヒンジ５０を介して開閉可能に形成されている。第１の本体部４９Ａの側壁のうちヒンジ５０が形成されていない側の側壁の上端寄りの位置には、外方に突出するロック突部５１が形成されており、一方、第２の本体部４９の側壁のうちヒンジ５０が形成されていない側の側壁の上端寄りの位置には、上方に突出する係止片５２が形成されている。両本体部４９Ａ，４９Ｂを閉じると、図１２に示すように、係止片５２とロック突部５１とが弾性的に係止することで両本体部４９Ａ，４９Ｂがロックされるようになっている。両本体部４９Ａ，４９Ｂには、図１１における左壁及び右壁の上端縁に、半円形をなす溝が幅方向に２つ並んで形成されており電線収容溝５３とされる。この電線収容溝５３は、両本体部４９Ａ，４９Ｂが閉じられたときに電線収容溝５３同士が対向することで断面が円形をなす空間を形成し、この空間内に電線２１が収容されるようになっている。
【００３１】
図１１における第１の本体部４９Ａの右壁には、図１１における右方に突設されると共に、両ハウジング１０，１１に装着される装着部３１が形成されている。この装着部３１は、図１２に示すように湾曲した板状をなしている。装着部３１の幅方向における両端部のうち、図１１における右端部寄りの位置には、上述した雌雄のロック部３２，４５に係合することで電線カバー１２を雌雄それぞれのハウジング１０，１１に取付けるための、雌雄それぞれのロック受け部３３，４６が形成されている。雌側ロック受け部４６は、装着部３１の内周面から本体部４９の径方向内方に突出してなり、一方、雄側ロック受け部３３は、装着部３１の外周面から本体部４９の径方向外方に突出してなる。これにより、雌側ロック受け部４６は、雄側ロック受け部３３よりも、径方向内方にずれて形成されている。雌側ロック受け部４６には、図１１における右方に向かって本体部４９の径方向外方に向かって傾斜すると共に、雌側ロック受け部４６が雌側ロック部４５に乗り上がる動作を容易にするためのガイド面３４が形成されている。一方、雄側ロック受け部３３には、図１１における右方に向かって本体部４９の径方向内方に傾斜すると共に、雄側ロック部３２が雄側ロック受け部３３に乗り上がる動作を容易にするためのガイド面３４が形成されている。雌雄のロック受け部は、装着部３１の内外の対応する位置に、本体部４９の径方向に並ぶ配置で形成されている。なお、電線カバー１２が両ハウジング１０，１１に取付けられた状態においては、本体部４９の径方向と、両ハウジング１０，１１の径方向とは一致するようになっている。
【００３２】
図１４に示すように、雌ハウジング１１においては、外筒部３７の後端よりも後方であって、内筒部３６の外周面よりも径方向外方の領域は、上述した雌側ロック部４５の形成が許容される雌側ロック部形成許容領域Ｆとされる。上述したように、内筒部３６の外周面は、両ハウジング１０，１１のシールがなされるシール面のうち雌ハウジング１１側のシール面となっている。このため、前後方向に型開きする金型により雌ハウジング１１を成形する場合、内筒部３６の外周面よりも径方向内方には、雌ハウジング１１の外部の空間と連通する型抜き空間を形成できないから、雌側ロック部４５の形成を許容することができないのである。
【００３３】
一方、雄ハウジング１０においては、フード部１５の後端よりも後方であって、フード部１５の外周面よりも径方向外方の領域は、上述した雄側ロック部３２の形成が許容される雄側ロック部形成許容領域Ｍとされる。上述したように、フード部１５の内周面は、両ハウジング１０，１１のシールがなされるシール面のうち雄ハウジング１０側のシール面となっている。このため、前後方向に型開きする金型により雄ハウジング１０を形成する場合、シール面を構成するフード部１５の外周面よりも径方向内方には、雄ハウジング１０の外部の空間と連通する型抜き空間を形成できないから、雄側ロック部３２の形成を許容することができないのである。
【００３４】
雌側ロック部形成許容領域Ｆのうち、雌ハウジング１１の外筒部３７の外周面よりも径方向外方の領域は、雌側アウター領域Ｔとされる。一方、雄側ロック部形成許容領域Ｍのうち、両ハウジング１０，１１が正規嵌合した状態における外筒部３７の外周面よりも径方向外方の領域は、雄側アウター領域Ｑとされる。両アウター領域は、雌雄のロック部３２，４５の形成が許容されているから、それぞれのハウジング１０，１１の対応する位置に、それぞれ雌雄のロック部３２，４５を形成し、電線カバー１２には、雌雄のロック部３２，４５に共通のロック受け部を形成することで、電線カバー１２を共用することができるようになっている。
【００３５】
しかしながら、両アウター領域Ｑ，Ｔにロック部を形成すると、ロック部は外筒部３７の外周面よりも径方向外方に形成されることになり、防水コネクタが径方向外方に拡大してしまうという問題点がある。
【００３６】
この点を鑑み、本実施形態においては、雄ハウジング１０の雄側ロック部形成許容領域Ｍのうち、両ハウジング１０，１１が正規嵌合した状態において外筒部３７の外周面よりも径方向内方の領域を雄側インナー領域Ｐとし、この雄側インナー領域Ｐ内に雄側ロック部３２を形成することとした。これにより、電線カバー１２の雄側ロック受け部３３は、外筒部３７の外周面よりも径方向内方に配されることになるから、装着部３１を外筒部３７の外周面よりも径方向内方に配することが可能となり、雄ハウジング１０及び電線カバー１２が径方向外方に拡大することを抑制できる。
【００３７】
一方、雌ハウジング１１の雌側ロック部形成許容領域Ｆのうち、外筒部３７の内周面よりも径方向内方の領域を雌側インナー領域Ｒとし、この雌側インナー領域Ｒ内に雌側ロック部４５を形成することとした。これにより、電線カバー１２の雄側ロック受け部３３は外筒部３７の内周面よりも径方向内方に配されることになるから、装着部３１を外筒部３７の外周面よりも径方向内方に配することが可能となり、雌ハウジング１１及び電線カバー１２が径方向外方に拡大することを抑制できる。
【００３８】
また、雌側ロック部４５が雌側インナー領域Ｒに形成されると共に、雄側ロック部３２が雄側インナー領域Ｐに形成されることで、雌側ロック部４５は、雄側ロック部３２よりも径方向内方にずれて形成されるようになっている。
【００３９】
なお、雌ハウジング１１の雌側ロック部形成許容領域Ｆのうち、外筒部３７の後方の領域（雌側アウター領域Ｔと雌側インナー領域Ｒとの間に囲まれた領域）は、雌側中間領域Ｓとされる。この雌側中間領域Ｓは外筒部３７の後方に位置するから、雌ハウジング１１の嵌合方向に型開きする金型によっては、雌側中間領域Ｓ内に雌側ロック部４５を形成することはできないとも思える。もっとも、他の実施形態（１）で後述するように、外筒部３７の一部を径方向外方に膨出させて型抜き空間５４を形成することにより、この雌側中間領域Ｓ内にも雌側ロック部４５を形成することができるようになっている。
【００４０】
続いて、本実施形態の作用、効果について説明する。まず、本実施形態に係る防水コネクタは、以下のようにして組み付けられる。電線２１の端末にバレル部２２を圧着することで雌端子金具３５を配設する。この雌端子金具３５を、雌ハウジング１１の内筒部３６の後方からキャビティ２０内に挿入してランス２５により抜け止め係止すると共に、内筒部３６の前端部にリテーナ２６を被着することで雌端子金具３５を二重係止する。これにより電線２１は、内筒部３６の後面の電線引出し面２９から後方に導出される。
【００４１】
雌ハウジング１１の後方から、電線カバー１２の装着部３１が下側を向く姿勢で、装着部３１を、雌側カバー取付け壁４４と、内筒部３６との間の空間に挿入する。すると、雌側ロック受け部４６の前端に形成されたガイド面３４が、雌側ロック部４５のガイド面３４と後方から当接する。このとき、装着部３１の雄側ロック受け部３３は、雄側ロック受け部逃がし溝４７内に進入するようになっている。さらに電線カバー１２を前方に押圧すると、雌側ロック受け部４６が雌側ロック部４５に乗り上げて径方向外方に撓み変形する。さらに電線カバー１２を前方に押圧すると、雌側ロック受け部４６が径方向内方に復帰変形し、雌側ロック受け部４６が、雌側ロック部４５と前方から係合することで、電線カバー１２が後方に変位するのが規制され、電線カバー１２が雌ハウジング１１に取付けられる。このとき、電線カバー１２の本体部４９の前端が、内筒部３６の後端と後方から当接することで、電線カバー１２が前方に変位するのが規制される。
【００４２】
次に、電線２１の端末にバレル部２２を圧着することで雄端子金具１３を配設する。この雄端子金具１３を、雄ハウジング１０の端子収容部１４の後方からキャビティ２０内に挿入して、ランス２５により抜け止め係止すると共に、端子収容部１４の前端部にリテーナ２６を被着することで雄端子金具１３を二重係止する。これにより、電線２１は、端子収容部１４の後面の電線引出し面２９から後方に導出される。
【００４３】
雄ハウジング１０の後方から、電線カバー１２の装着部３１が上側を向く姿勢で、装着部３１を、雄側カバー取付け壁３０と、端子収容部１４との間の空間に挿入する。すると、雄側ロック受け部３３の前端に形成されたガイド面３４が、雄側ロック部３２のガイド面３４と後方から当接する。さらに電線カバー１２を前方に押圧すると、雄側ロック部３２が雄側ロック受け部３３に乗り上がることで、雄側ロック部３２の形成された雄側カバー取付け壁３０が径方向外方に撓み変形する。さらに電線カバー１２を前方に押圧すると、雄側カバー取付け壁３０が径方向内方に復帰変形し、雄側ロック受け部３３が、雄側ロック部３２と前方から係合することで、電線カバー１２が後方に変位するのが規制され、電線カバー１２が雄ハウジング１０に取付けられる。このとき、電線カバー１２の本体部４９の前端が、端子収容部１４の後端と後方から当接することで、電線カバー１２が前方に変位するのが規制される。
【００４４】
雌雄それぞれの端子金具１３，３５が収容されると共に電線カバー１２が取付けられた雌雄のハウジング１０，１１を、互いに嵌合させる。すると、雄ハウジング１０のフード部１５が、雌ハウジング１１の外筒部３７と内筒部３６との間に形成された嵌合空間３８内に進入する。両ハウジング１０，１１の嵌合が進行すると、フード部１５のロック部がロックアーム１８の前端と前方から当接し、ロックアーム１８の前端がロック突部１７に乗り上がって、上方に撓み変形する。さらに両ハウジング１０，１１の嵌合が進行して両ハウジング１０，１１が正規嵌合すると、ロックアーム１８が復帰変形し、ロックアーム１８の係止孔１９と、ロック突部１７とが係合することで、両ハウジング１０，１１が正規嵌合状態に保持される。このとき、雄端子金具１３のタブ２４が雌端子金具３５の接続部３９内に挿入されて弾性接触片に押圧されることで、雄端子金具１３と雌端子金具３５とが電気的に接続される。また、フード部１５の内周面とシールリング４０のリップ４１とが密着することで雌ハウジング１１と雄ハウジング１０との間のシールがなされる。
【００４５】
なお、両ハウジング１０，１１を離間させるときは、ロックアーム１８の後端縁を下方に押圧してロックアーム１８を揺動させることでロック突部１７と係止孔１９との係合を解除し、両ハウジング１０，１１を後方に引っ張ればよい。
【００４６】
以上説明したように、本実施形態によれば、雌ハウジング１１に電線カバー１２を取付けるためには、雌ハウジング１１の雌側ロック部４５と、電線カバー１２の雌側ロック受け部４６とを係合させればよい。また、雄ハウジング１０に電線カバー１２を取付けるためには、雄ハウジング１０の雄側ロック部３２と、電線カバー１２の雄側ロック受け部３３とを係合させればよい。このように、共通形態をなす電線カバー１２を雌雄のハウジング１０，１１間で共用できるから、電線カバー１２の製造コストを削減できる。
【００４７】
さらに、雌側ロック部４５は雌側インナー領域Ｒ内に形成されているから、雌側ロック受け部４６が形成される装着部３１は、外筒部３７の外周面の径方向の高さ位置よりも径方向内方に配することができる。また、雄側ロック部３２は雄側インナー領域Ｐ内に形成されているから、雄側ロック受け部３３が形成される装着部３１は、外筒部３７の外周面の径方向の高さ位置よりも径方向内方に配することができる。このように、雌雄いずれのハウジング１０，１１に対しても、装着部３１は、外筒部３７の外周面の径方向の高さ位置よりも径方向内方に配されるようになっているから、防水コネクタが径方向へ拡大化するのを防止できる。
【００４８】
そのうえ、雄側ロック受け部３３と雌側ロック受け部４６とは、装着部３１の内外において径方向に並んだ配置となっているから、雌雄のロック受け部３３，４６が前後方向に並んで形成された場合に比べて、電線カバー１２の前後方向の寸法を小型化できる。
【００４９】
＜実施形態２＞
次に、本発明の実施形態２を図１５を参照しつつ説明する。本実施形態においては、雄ハウジング１０の端子収容部１４の外周面のうち、連結壁１６よりも後方から端子収容部１４の後端よりもやや前方までの領域は、フード部１５の外周面と略面一に形成されている。この端子収容部１４のうち、幅方向の左右両外端には、径方向外方に突出した一対の雄側ロック部３２が形成されている。雄側ロック部３２は、雌雄の両ハウジング１０，１１が正規嵌合した状態における雌ハウジング１１の外筒部３７の外周面よりも径方向内方に位置するようになっており、雄側インナー領域Ｐに形成されるようになっている。雄側ロック部３２の後端には、電線カバー１２の装着部３１に形成された雄側ロック受け部３３が乗り上がる動作を容易にするためのガイド面３４が、後方に向かって径方向内方に傾斜して形成されている。
【００５０】
一方、雌ハウジング１１には、内筒部３６の外周面のうち、幅方向の左右両外端であって、かつ、後端寄りの位置に、径方向外方に突出した一対の雌側ロック部４５が形成されている。雌側ロック部４５は、外筒部３７の内周面の径方向の高さ位置よりも径方向内方に位置するようになっており、雌側インナー領域Ｒ内に形成されるようになっている。雌側ロック部４５の後端には、電線カバー１２の装着部３１に形成された雌側ロック受け部４６が乗り上がる動作を容易にするためのガイド面３４が、後方に向かって径方向内方に傾斜して形成されている。
【００５１】
雄側ロック部３２が雄側インナー領域Ｐ内に形成されると共に、雌側ロック部４５が雌側インナー領域Ｒ内に形成されることにより、雌側ロック部４５は、雄側ロック部３２よりも径方向内方にずれて配されている。
【００５２】
電線カバー１２の装着部３１のうち、前端寄りの位置には、幅方向の両端部に、装着部３１の内周面から径方向内方に突出する一対の雄側ロック受け部３３が形成されている。雄側ロック受け部３３の後方には、雄側ロック受け部３３よりも径方向内方にずれた位置に、一対の雌側ロック受け部４６が、装着部３１の内周面から径方向内方に突設されている。雌雄の両ロック受け部３３，４６の前端には、雌雄の両ロック受け部３３，４６が、雌雄それぞれのロック部３２，４５に乗り上がる動作を容易にするためのガイド面３４が、前方に向かって径方向外方に傾斜して形成されている。
【００５３】
電線カバー１２の装着部３１の外周面は、雌雄の両ハウジング１０，１１が正規嵌合した状態において、外筒部３７の外周面と略同一面か、又は、径方向内方に位置するようになっている。
【００５４】
上記以外の構成については、実施形態１と略同一構造であり、同一部分については同一符号を付し、対応する説明を省略する。
【００５５】
続いて、本実施形態の作用、効果について説明する。雌ハウジング１１の後方から、電線カバー１２を、雌側カバー取付け壁４４と、内筒部３６との間の空間に挿入する。すると、装着部３１の雌側ロック受け部４６が雌側ロック部４５に乗り上げて径方向外方に撓み変形する。さらに電線カバー１２を前方に押圧すると、雌側ロック受け部４６が径方向内方に復帰変形し、雌側ロック受け部４６が、雌側ロック部４５と前方から係合することで、電線カバー１２が後方に変位するのが規制され、電線カバー１２が雌ハウジング１１に取付けられる。
【００５６】
また、雄ハウジング１０の後方から、電線カバー１２を、雄側カバー取付け壁３０と、端子収容部１４との間の空間に挿入する。すると、装着部３１の雄側ロック受け部３３が雄側ロック部３２に乗り上げて径方向外方に撓み変形する。さらに電線カバー１２を前方に押圧すると、雄側ロック受け部３３が径方向内方に復帰変形し、雄側ロック受け部３３が、雄側ロック部３２と前方から係合することで、電線カバー１２が後方に変位するのが規制され、電線カバー１２が雄ハウジング１０に取付けられる。
【００５７】
以上説明したように、本実施形態によれば、雄ハウジング１０の端子収容部１４及び雌ハウジング１１の内筒部３６という既存の構造にそれぞれ、雌雄のロック部３２，４５を形成できる。このような方法によった場合でも、雌雄のロック受け部３３，４６を径方向にずれた状態で前後方向に並べて配することによって、雌雄のインナー領域内にそれぞれ、雌雄のロック部３２，４５を形成することが可能となり、防水コネクタが径方向へ拡大化するのを防止できる。
【００５８】
＜実施形態３＞
次に、本発明の実施形態３を図１６を参照しつつ説明する。本実施形態においては、雄ハウジング１０のフード部１５の後部には、後方に延出されると共に、電線カバー１２を雄ハウジング１０に取付けるための雄側カバー取付け壁３０が形成されている。雄側カバー取付け壁３０の外周面は、雌雄の両ハウジング１０，１１が正規嵌合した状態において、後述する雌ハウジング１１の外筒部３７の外周面と略同一面か、または、径方向内方に位置するように配されており、これにより雄側カバー取付け壁３０は、雄側インナー領域Ｐ内に形成されるようになっている。雄側カバー取付け壁３０の内周面のうち、幅方向の左右両外端であって、かつ、後端寄りの位置には、径方向内方に突出する一対の雄側ロック部３２が形成されている。この雄側ロック部３２も、雄側インナー領域Ｐ内に位置するように形成されている。雄側ロック部３２の後端部には、後方に向かって径方向外方に傾斜すると共に、雄側ロック部３２が後述する電線カバー１２の雄側ロック受け部３３に乗り上がる動作を容易にするためのガイド面３４が後方に向かって径方向外方に傾斜して形成されている。
【００５９】
一方、雌ハウジング１１には、外筒部３７を連結壁１６の後端から後方に延出すると共に、その外周面を外筒部３７の外周面と略同一面をなすようにして雌側カバー取付け壁４４が形成されている。雌側カバー取付け壁４４の内周面のうち、幅方向の左右両外端であって、かつ、前端寄りの位置には、径方向外方に突出する一対の雌側ロック部４５が形成されている。雌側ロック部４５は、外筒部３７の内周面の径方向の高さ位置よりも径方向内方に位置するようになっており、雌側インナー領域Ｒ内に形成されている。雌側ロック部４５の後端には、後方に向かって径方向外方に傾斜すると共に、雌側ロック部４５が電線カバー１２の雌側ロック受け部４６に乗り上がる動作を容易にするためのガイド面３４が、後方に向かって径方向外方に傾斜して形成されている。雌側カバー取付け壁４４の内周面のうち、雌側ロック部４５の後方の領域には、前後方向に延びると共に径方向外方に引っ込んで形成された雄側ロック受け部逃がし溝４７が形成されており、電線カバー１２が雌ハウジング１１に取付けられたときに雌側カバー取付け壁４４と雄側ロック受け部３３とが干渉することを防止するようになっている。また、連結壁１６のうち、雌側ロック部４５の前方に位置する部分には、雌側ロック部４５を成形する際に金型を型抜きするための型抜き孔４８が形成されている。
【００６０】
雄側ロック部３２が雄側インナー領域Ｐ内に形成されると共に、雌側ロック部４５が雌側インナー領域Ｒ内に形成されることにより、雌側ロック部４５は、雄側ロック部３２よりも径方向内方にずれて配されている。
【００６１】
電線カバー１２の装着部３１のうち、前端寄りの位置には、幅方向の両端部に、装着部３１の外周面から径方向外方に突出する一対の雌側ロック受け部４６が形成されている。雌側ロック受け部４６の後方には、雌側ロック受け部４６よりも径方向外方にずれた位置に、一対の雄側ロック受け部３３が、装着部３１の内周面から径方向外方に突設されている。雌雄の両ロック受け部の前端には、雌雄の両ロック部３２，４５が、雌雄それぞれのロック受け部３３，４６に乗り上がる動作を容易にするためのガイド面３４が、前方に向かって径方向内方に傾斜して形成されている。
【００６２】
上記以外の構成については、実施形態１と略同一構造であり、同一部分については同一符号を付し、対応する説明を省略する。
【００６３】
続いて、本実施形態の作用、効果について説明する。雌ハウジング１１の後方から、電線カバー１２を、雌側カバー取付け壁４４と、内筒部３６との間の空間に挿入する。すると、雌側カバー取付け壁４４の雌側ロック部４５が雌側ロック受け部４６に乗り上げて径方向外方に撓み変形する。さらに電線カバー１２を前方に押圧すると、雌側ロック部４５が径方向内方に復帰変形し、雌側ロック受け部４６が、雌側ロック部４５と前方から係合することで、電線カバー１２が後方に変位するのが規制され、電線カバー１２が雌ハウジング１１に取付けられる。
【００６４】
また、雄ハウジング１０の後方から、電線カバー１２を、雄側カバー取付け壁３０と、端子収容部１４との間の空間に挿入する。すると、雄側カバー取付け壁３０の雄側ロック部３２が雄側ロック受け部３３に乗り上げて径方向外方に撓み変形する。さらに電線カバー１２を前方に押圧すると、雄側ロック部３２が径方向内方に復帰変形し、雄側ロック受け部３３が、雄側ロック部３２と前方から係合することで、電線カバー１２が後方に変位するのが規制され、電線カバー１２が雄ハウジング１０に取付けられる。
【００６５】
以上説明したように、本実施形態によれば、雄ハウジング１０には新たに雄側カバー取付け壁３０を設けると共に、雌ハウジング１１には新たに雌側カバー取付け壁４４を設け、雌雄の両カバー取付け壁３０，４４にそれぞれ、雌雄のロック部３２，４５を形成できる。このような方法によった場合でも、雌雄のロック受け部３３，４６を径方向にずれた状態で前後方向に並べて配することによって、雌雄のインナー領域内にそれぞれ、雌雄のロック部３２，４５を形成することが可能となり、防水コネクタが径方向へ拡大化するのを防止できる。
【００６６】
＜参考例１＞
続いて、参考例１について図１７を参照しつつ説明する。本参考例においては、雄ハウジング１０の端子収容部１４の外周面は、雌雄の両ハウジング１０，１１が正規嵌合した状態における外筒部３７の外周面と略同一面となるように形成されており、この端子収容部１４の外周面から径方向外方に突出するように雄側ロック部３２が形成されている。
【００６７】
一方、雌ハウジング１１の外筒部３７は後方に延設されており、外筒部３７の外周面から径方向外方に突出するように雌側ロック部４５が形成されている。
【００６８】
雌雄の両ロック部は、雌雄の両ハウジング１０，１１が正規嵌合した状態における外筒部３７の外周面よりも径方向外方に形成されており、それぞれ、雌側アウター領域Ｔ及び雄側アウター領域Ｑに形成されている。このように雌雄のロック部３２，４５は、それぞれ、雌雄のアウター領域Ｔ，Ｑに形成されており、共に雌雄のロック部３２，４５形成許容領域に形成されているから、ハウジングの嵌合方向に沿って型開きする金型により形成される場合でも、対応する位置に雌側ロック部４５及び雄側ロック部３２を形成することができる。
【００６９】
電線カバー１２には、両ハウジング１０，１１の電線引出し面２９を覆うように装着部３１が形成されており、装着部３１の内周面から径方向内方に突出するようにして、雄側ロック部３２及び雌側ロック部４５の双方に係合可能なロック受け部５５が形成されている。
【００７０】
上記以外の構成については、実施形態１と略同様であるから、同一構造については同一符号を付し、重複する説明を省略する。
【００７１】
このように参考例１によれば、電線カバー１２の装着部３１に、雌雄の両ハウジング１０，１１に形成された雌雄のロック部３２，４５の双方に係合可能なロック受け部５５を形成できる。これにより、雌雄のハウジング１０，１１に対して電線カバー１２を共用できるから、コスト削減を図ることができる。
【００７２】
＜参考例２＞
続いて、参考例２について図１８を参照しつつ説明する。本参考例においては、雄ハウジング１０の端子収容部１４の外周面から、径方向外方に突出すると共に全体として鉤状をなす雄側カバー取付け部５６が形成されており、この雄側カバー取付け部５６の内周面から、径方向内方に突出して雄側ロック部３２が形成されている。この雄側ロック部３２は、雌雄の両ハウジング１０，１１が正規嵌合した状態において外筒部３７の外周面よりも径方向外方に位置するようになっており、雄側アウター領域Ｑに形成されている。
【００７３】
一方、雌ハウジング１１の外筒部３７の外周面から、径方向外方に突出すると共に、全体として鉤状をなす雌側カバー取付け部５７が形成されており、この雌側カバー取付け部５７の内周面から、径方向内方に突出して雌側ロック部４５が形成されている。この雌側ロック部４５は、外筒部３７の外周面よりも径方向外方に位置するようになっており、雌側アウター領域Ｔに形成されている。
【００７４】
このように雌雄のロック部３２，４５は、それぞれ、雌雄のアウター領域Ｔ，Ｑに形成されており、共に雌雄のロック部３２，４５形成許容領域に形成されているから、ハウジングの嵌合方向に沿って型開きする金型により形成される場合でも、対応する位置に雌側ロック部４５及び雄側ロック部３２を形成することができる。
【００７５】
電線カバー１２には、両ハウジング１０，１１の電線引出し面２９を覆うように装着部３１が形成されており、装着部３１の外周面から径方向外方に突出するようにして、雄側ロック部３２及び雌側ロック部４５の双方に係合可能なロック受け部５５が形成されている。
【００７６】
上記以外の構成については、実施形態１と略同様であるから、同一構造については同一符号を付し、重複する説明を省略する。
【００７７】
このように参考例１によれば、電線カバー１２の装着部３１に、雌雄の両ハウジング１０，１１に形成された雌雄のロック部３２，４５の双方に係合可能なロック受け部５５を形成できる。これにより、雌雄のハウジング１０，１１に対して電線カバー１２を共用できるから、コスト削減を図ることができる。
【００７８】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００７９】
（１）図１９に示すように、外筒部３７の一部を径方向外方に膨出させて型抜き空間５４を形成し、この型抜き空間５４の後方の領域に雌側ロック部４５を形成してもよい。これにより、上述した雌側中間領域Ｓに雌側ロック部４５を形成できる。この結果、電線カバー１２の装着部３１には、雌雄の両ハウジング１０，１１の両ロック部３２，４５に対して係合可能な共通のロック受け部５５を形成し、このロック受け部５５により電線カバー１２を取付けることができる。
【００８０】
（２）雌雄の両ロック部３２，４５は、それぞれのハウジング１０，１１の周方向にずれた位置に配されていてもよく、これに対応して、雌雄の両ロック受け部３３，４６も、装着部３１の周方向にずれた位置に配されていてもよい。
【００８１】
（３）本実施形態においては、装着部３１に雌側ロック受け部４６と雄側ロック受け部３３とを形成する構成としたが、これに限られず、電線カバー１２には、雌側ロック受け部４６が形成される雌側装着部と、雄側ロック受け部３３が形成される雄側装着部とを、別個に設ける構成としてもよい。
【００８２】
（４）本実施形態においては、両ハウジング１０，１１を嵌合させる前に電線カバー１２を雌雄それぞれのハウジング１０，１１に組み付けるものとしたが、これに限られず、電線カバー１２は、両ハウジング１０，１１を正規嵌合した後に、雌雄それぞれのハウジング１０，１１に組み付けるものとしてもよい。
【００８３】
（５）本実施形態においては、雌ハウジング１１に取付けられる電線カバー１２の装着部３１は下側に位置するように配され、雄ハウジング１０に取付けられる電線カバー１２の装着部３１は上側に位置するように配される構成としたが、これに限られず、雌雄の両ハウジング１０，１１に取付けられる電線カバー１２の装着部３１が双方とも上側に位置してもよいし、双方ともが下側に位置するように配されてもよい。また、雌ハウジング１１に取付けられる電線カバー１２の装着部３１が上側に位置するようにし、雄ハウジング１０に取付けられる電線カバー１２の装着部３１が下側に位置するように配する構成としてもよい。
【図面の簡単な説明】
【００８４】
【図１】実施形態１に係る防水コネクタの断面図
【図２】雄端子金具が収容された雄ハウジングに電線カバーが取付けられた状態を示す断面図
【図３】雄ハウジングの背面図
【図４】雄ハウジングと、電線カバーとを示す平断面図
【図５】雄ハウジングに電線カバーが取付けられた状態を示す平断面図
【図６】雌端子金具が収容された雌ハウジングに電線カバーが取付けられた状態を示す断面図
【図７】雌ハウジングの背面図
【図８】雌ハウジングと、電線カバーとを示す平断面図
【図９】雌ハウジングに電線カバーが取付けられた状態を示す平断面図
【図１０】第１及び第２の本体部を組み付ける前の状態を示す電線カバーの正面図
【図１１】第１及び第２の本体部を組み付ける前の状態を示す電線カバーの平面図
【図１２】第１及び第２の本体部を組み付けた状態の電線カバーを示す正面図
【図１３】第１及び第２の本体部を組み付けた状態の電線カバーを示す断面図
【図１４】雌ハウジングと、雄ハウジングと、電線カバーとを組み付けた状態を示す断面図
【図１５】実施形態２に係る防水コネクタにおいて、雌ハウジングと、雄ハウジングと、電線カバーとを組み付けた状態を示す断面図
【図１６】実施形態３に係る防水コネクタにおいて、雌ハウジングと、雄ハウジングと、電線カバーとを組み付けた状態を示す断面図
【図１７】参考例１に係る防水コネクタにおいて、雌ハウジングと、雄ハウジングと、電線カバーとを組み付けた状態を示す一部拡大断面図
【図１８】参考例２に係る防水コネクタにおいて、雌ハウジングと、雄ハウジングと、電線カバーとを組み付けた状態を示す一部拡大断面図
【図１９】他の実施形態（１）に係る防水コネクタにおいて、雌ハウジングと、雄ハウジングと、電線カバーとを組み付けた状態を示す一部拡大断面図
【符号の説明】
【００８５】
１０…雄ハウジング
１１…雌ハウジング
１２…電線カバー
１３…雄端子金具
１４…端子収容部
１５…フード部
２１…電線
２９…電線引出し面
３０…雄側カバー取付け壁
３１…装着部
３２…雄側ロック部
３３…雄側ロック受け部
３５…雌端子金具
３６…内筒部
３７…外筒部
３８…嵌合空間
４４…雌側カバー取付け壁
４５…雌側ロック部
４６…雌側ロック受け部
４９…本体部
Ｆ…雌側ロック部形成許容領域
Ｍ…雄側ロック部形成許容領域
Ｐ…雄側インナー領域
Ｒ…雌側インナー領域
【図１】
2007053056.tif 000003
【図２】
2007053056.tif 000004
【図３】
2007053056.tif 000005
【図４】
2007053056.tif 000006
【図５】
2007053056.tif 000007
【図６】
2007053056.tif 000008
【図７】
2007053056.tif 000009
【図８】
2007053056.tif 000010
【図９】
2007053056.tif 000011
【図１０】
2007053056.tif 000012
【図１１】
2007053056.tif 000013
【図１２】
2007053056.tif 000014
【図１３】
2007053056.tif 000015
【図１４】
2007053056.tif 000016
【図１５】
2007053056.tif 000017
【図１６】
2007053056.tif 000018
【図１７】
2007053056.tif 000019
【図１８】
2007053056.tif 000020
【図１９】
2007053056.tif 000021